(57)【要約】【課題】  ディジタルカレンダの日付情報を効率よく更新し、パーソナルコンピュータに依存せずにディジタルカレンダ装置を実現すること。【解決手段】  携帯機器向けの地上ディジタルテレビジョン放送データを受信する受信手段と、受信データを処理し、週単位または月単位のカレンダ情報を生成するデータ処理手段と、生成されたカレンダ情報を表示する表示手段とを備えたディジタルカレンダ装置であって、前記データ処理装置が、  前記地上ディジタルテレビジョン放送データから現在の日付情報を取得する手段と、取得した日付情報が含まれる週単位または月単位のカレンダ情報を生成する手段と、前記第２の手段で生成したカレンダ情報に対し、任意の画像を背景画像として合成したカレンダ画面情報を作成し、前記表示手段に表示させる手段とを備える。【選択図】    図１
2008145752.tif 000002
【特許請求の範囲】
【請求項１】
携帯機器向けの地上ディジタルテレビジョン放送データを受信する受信手段と、受信データを処理し、週単位または月単位のカレンダ情報を生成するデータ処理手段と、生成されたカレンダ情報を表示する表示手段とを備えたディジタルカレンダ装置であって、
前記データ処理装置が、
前記地上ディジタルテレビジョン放送データから現在の日付情報を取得する第１の手段と、
取得した日付情報が含まれる週単位または月単位のカレンダ情報を生成する第２の手段と、
前記地上ディジタルテレビジョン放送データから前記カレンダ情報の背景画像となる任意の画像を取得する第３の手段と、
前記第２の手段で生成したカレンダ情報に対し、前記第３の手段で取得した任意の画像を背景画像として合成したカレンダ画面情報を作成し、前記表示手段に表示させる第４の手段と
を備えることを特徴とするディジタルカレンダ装置。
【請求項２】
前記地上ディジタルテレビジョン放送データから指定地域の天気情報を取得する第５の手段とをさらに備え、取得した天気情報を前記カレンダ画面情報に合成して表示することを特徴とする請求項１に記載のディジタルカレンダ装置。
【請求項３】
前記表示手段に表示されたカレンダ情報のいずれかの日付の表示位置にユーザが接触したことを検知するタッチセンサをさらに備え、いずれかの日付の表示位置にユーザが接触したことを検知したならば手書き認識のスケジュール入力画面を表示手段に表示させる第６の手段をさらに備えることを特徴とする請求項１または２に記載のディジタルカレンダ装置。
【発明の詳細な説明】
【技術分野】
【０００１】
本発明は、タッチセンサ付き液晶表示手段を備え、パーソナルコンピュータとは異なる独立した装置にてカレンダ情報を表示するディジタルカレンダ装置に関し、特に、携帯機器向けの地上ディジタルテレビジョン放送（いわゆるワンセグ）から受信した情報に基づいてスケジュール情報、背景画像情報と気象情報を結合させて、同一の画面内に表示することの可能なディジタルカレンダ装置に関するものである。
【背景技術】
【０００２】
従来、ディジタルカレンダとは、日付・背景画像情報の自動更新のために、パーソナルコンピュータの任意OS（Operating System）管理下で、あるアプリケーション・ソフト（ソフトウェア）として動作し、インターネットを利用することが必要であった。これでは、カレンダを見るためにパーソナルコンピュータを起動するという時間がかかり不便である。
また、紙媒体を主体としてカレンダの場合、いつでも日付を確認することができるが、そのためには定期的な手作業による更新作業が発生する。また、本更新作業を実施する場合、一般的に当該月のページに描かれていた画像も同時に破棄することとなる。破棄するべきページにユーザが必要とする画像が描かれていた場合、カレンダの更新作業が心理的に憚られることが予想される。
従来において、この種の装置として、下記の特許文献１に開示されたものがある。
【０００３】
【特許文献１】特開２００１−７６０４７号公報
【発明の開示】
【発明が解決しようとする課題】
【０００４】
上記特許文献１に開示されたカレンダ装置は、パーソナルコンピュータを用いて、電子広告主が特定した所望のレイアウトで電子広告を含むカレンダをパーソナルコンピュータの表示画面に表示させるものである。
しかしながら、下記のような問題がある。
すなわち、インターネット利用してディジタルカレンダの自動日付更新を実施する場合、日付情報取得のためにユーザがパーソナルコンピュータを用意する必要があり、さらにインターネット接続環境の導入が必須である。これにはパーソナルコンピュータの導入コスト及び、インターネット接続環境の維持費が発生する。また、パーソナルコンピュータを前提としているため、一般的にコンピュータの扱いに長けていない高齢者にとって、利用するための敷居が高くなるという問題がある。
また、上記の環境を導入した後もディジタルカレンダを確認するには、パーソナルコンピュータを起動するための時間がかかるという問題は残る。この起動時間を短縮するために、パーソナルコンピュータを起動したままにするなどした場合、消費電力増加により電気代の増加が見込まれる。かといって紙媒体主体のカレンダとした場合、上述の問題に差し当たる。
【０００５】
本発明は、上述のようなパーソナルコンピュータに依存したディジタルカレンダの問題を解決するためになされたものであり、その目的はディジタルカレンダの日付情報を効率よく更新し、パーソナルコンピュータに依存せずにディジタルカレンダ装置を実現し、それと同時にさらなる付加価値を提供することにある。
【課題を解決するための手段】
【０００６】
上述の目的を達成するため、本発明に係るディジタルカレンダ装置は、携帯機器向けの地上ディジタルテレビジョン放送データを受信する受信手段と、受信データを処理し、週単位または月単位のカレンダ情報を生成するデータ処理手段と、生成されたカレンダ情報を表示する表示手段とを備えたディジタルカレンダ装置であって、
前記データ処理装置が、
前記地上ディジタルテレビジョン放送データから現在の日付情報を取得する第１の手段と、取得した日付情報が含まれる週単位または月単位のカレンダ情報を生成する第２の手段と、前記地上ディジタルテレビジョン放送データから前記カレンダ情報の背景画像となる任意の画像を取得する第３の手段と、前記第２の手段で生成したカレンダ情報に対し、前記第３の手段で取得した任意の画像を背景画像として合成したカレンダ画面情報を作成し、前記表示手段に表示させる第４の手段とを備えることを特徴とする。
また、前記地上ディジタルテレビジョン放送データから指定地域の天気情報を取得する第５の手段とをさらに備え、取得した天気情報を前記カレンダ画面情報に合成して表示することを特徴とする。
また、前記表示手段に表示されたカレンダ情報のいずれかの日付の表示位置にユーザが接触したことを検知するタッチセンサをさらに備え、いずれかの日付の表示位置にユーザが接触したことを検知したならば手書き認識のスケジュール入力画面を表示手段に表示させる第６の手段をさらに備えることを特徴とする。
【発明の効果】
【０００７】
本発明によれば、携帯機器向けの地上ディジタルテレビジョン放送である１セグメント部分受信サービス、いわゆるワンセグ放送と専用機器を用いることで、パーソナルコンピュータに依存することなく低コストで良質のディジタルカレンダを提供することができる。
また、ユーザ操作性を意識した専用機器構成とすることにより、高齢者でもディジタルカレンダを容易に利用できることを実現する。
さらに、ワンセグで配信されている気象情報を受信することで、気象情報という万人に有益な付加情報の提供を実現することができる。
【発明を実施するための最良の形態】
【０００８】
以下、本発明を図示する実施の形態に基づいて詳細に説明する。
図１は、本発明に係るディジタルカレンダ装置の実施の携帯を示す全体構成図である。
地上波ディジタル基地局１のサービス提供者は、基地局１にてワンセグで定期的に当日の日付情報、気象情報、不定期に背景画像情報を配信する。
サービス利用者は家庭２に設置されたディジタルカレンダ装置３のワンセグ受信ユニット４を通じてカレンダ情報を構成するための当日の日付情報、気象情報、背景画像情報を受信し、内蔵ディスク装置５へ記録する。
ディジタルカレンダ装置３は、ＣＰＵ装置６を内蔵しており、このＣＰＵ装置６にて日付情報からカレンダ情報の計算、画面の表示制御を実施する。
図１０〜１２に日付情報、気象情報、背景画像情報の受信・記録時の処理フローを示している。また、これらの情報受信時には図１３〜１５の処理フローが適時実施される。
内蔵のディスク装置５に記録された情報は、適切に処理された上でタッチセンサ付き液晶スクリーン７へ表示される。タッチセンサ付き液晶スクリーン７ではユーザの入力に応じ、さまざまな情報を表示する。
【０００９】
図２は、本発明におけるタッチセンサ付き液晶スクリーン７の画面遷移を示す説明図である。
ディジタルカレンダ装置３の電源投入後に表示されるルート画面７０１は、カレンダを表示し、他の情報を参照するためのタッチメニュー７０１ａを持つ。
ユーザはメニューをタッチすることで気象情報画面７０２、設定画面７０４に遷移することができる。また、ルート画面７０１にて日付をタッチすることでスケジュール入力画面７０３に遷移することができる。
【００１０】
図３は本発明におけるルート画面（カレンダ情報画面）７０１の詳細を示す説明図である。
このルート画面（カレンダ情報画面）７０１の背景表示エリア７０１ｂには、当日日付情報に応じて、ディスク装置５にて蓄えられた背景画像が表示される。このとき表示する背景画像の種類には次の２種類が存在する。１つはワンセグ基地局から不定期に送信された後、ディスク装置５にて保存されている画像である。この画像は月毎に自動的に変化する。２つ目はワンセグの基地局１から不定期に送信された後、ディスク装置５にて保存されている気象情報を含んだ画像である。
【００１１】
この場合の背景エリアを含んだ画面を図４に示す。この画像は、本発明のディジタルカレンダ装置３の設置地点における、現在の気象情報とユーザが設定した時間経過後の予報気象情報を含んだ画像である。これらの２種類の画像うちどちらかを、ユーザの設定により選択して表示させることができる。
カレンダ表示エリア７０１ｃには当日を含む一定期間のカレンダ情報を表示し、特に当日は強調して表示する。また、前月または先週表示ボタン７０１ｃ１、翌月または翌週表示ボタン７０２ｃ２を設け、スムーズな表示月の移動を可能とする。カレンダ表示の際はユーザの設定に応じて、カレンダの表示単位を１ヶ月単位、数ヶ月単位（図５）、１週間単位（図６）、数週間単位など、また、週始まり日を月曜日、日曜日（図７）と幅広いカスタマイズを可能とする。図16にカレンダ画面表示時の処理フローを示す。
【００１２】
図８に本発明におけるスケジュール入力エリア７０１ｄの詳細を示す。
ユーザはカレンダ画面（ルート画面）７０１にて任意の日付をタッチすることで、スケジュール入力画面を表示することができる。
スケジュール入力画面にはペンタッチ入力による手書入力を可能とする手書きエリア７０１ｄ１、入力された文字情報をデータとして表示するテキストエリア７０１ｄ２、テキストエリア内での文字入力場所を１文字進めるボタン７０１ｄ３、現在入力されている文字を１文字削除するボタン７０１ｄ４、現在手書き入力されている文字を変換、変換により表示された候補を決定し、スケジュール情報の入力を終了するボタン７０１ｄ５、文字変換時に変換候補を表示する７０１ｄ６を備える。
スケジュール情報入力終了後、本画面は自動的に消え、背景画面エリアが表示される。図１８にスケジュール入力処理時のフローを示す。
【００１３】
図９に本発明における気象情報画面の例を示す。
ここでは、背景画像表示エリアとカレンダ表示エリアを結合した、周辺気象情報表示エリア７０１ｅに、本発明のディジタルカレンダ装置３の設置地域周辺の気象情報を表示する。このとき、現在の気象情報とユーザが指定した時間経過後の予報気象情報を表示する。
図１７に天気画面表示時の処理フローを示す。
設定画面では、上述のカレンダの表示設定、気象情報表示地域指定のための郵便番号設定、気象予報時刻の設定及び、背景画像の個別設定・取捨選択などを実施可能なインターフェースをユーザに提供する。
ユーザにより設定された情報は磁気ディスク５へ記録する。なお、ディジタルカレンダ装置３の初回起動時には設定画面を表示し、上述の設定が実施された上で使用されるようにする。
【００１４】
図１０は、日付情報更新処理を示すフローチャートである。
日付情報更新処理では、まず、ワンセグ放送データを受信し（ステップ１００３）、その受信データから当日日付情報を取得し（ステップ１００２）、磁気ディスク装置５に保持されている当日日付と比較する（ステップ１００３）。日付が等しくない場合、磁気ディスク装置５へ当日日付１００５を記録する（ステップ１００４）。次に、図１３に示す処理によりカレンダ画面を作成する（ステップ１００６）。
日付が等しい場合には、処理を終了する。
以上で、日付情報更新処理を終了する。
【００１５】
図１１は、気象情報更新処理を示すフローチャートである。
気象情報更新処理では、ワンセグ放送データを受信し（ステップ１１０１）、その受信データから気象情報を取得する（ステップ１１０２）。次に、磁気ディスク装置５に保持されている気象情報と比較し（ステップ１１０３）、等しい場合は更新処理を終了する。
等しくない場合には、磁気ディスク装置５へ今回新たに取得した気象情報１１０６を記録する（ステップ１１０５）。
以上で気象情報更新処理を終了する。
【００１６】
図１２は、背景画像情報更新処理を示すフローチャートである。
まず、ワンセグ放送データを受信し（ステップ１２０１）、その受信データからカレンダ画面の背景情報となる背景画像情報を取得する（ステップ１２０２）。この背景画像情報は基地局１がワンセグ放送データに任意に付加したものである。
次に、取得した背景画像情報１２０４を磁気ディスク装置５へ記録する（ステップ１２０３）。
以上で背景画像情報更新処理を終了する。
【００１７】
図１３は、カレンダ画面作成処理を示すフローチャートである。
カレンダ画面作成処理では、まず、磁気ディスク装置５から当日日付情報１３０２を取得し（ステップ１３０１）、次に、磁気ディスク装置５から表示期間情報１３０４を取得する（ステップ１３０３）。
次に、磁気ディスク装置５から表示範囲のカレンダ日付情報１３０６を取得し（ステップ１３０５）、さらに、磁気ディスク装置５から表示範囲日付におけるスケジュール情報１３０８を取得する（ステップ１３０７）。そして、スケジュール情報１３０８をマージした、表示範囲に対応した（１ヶ月、３ヶ月など）カレンダ画面１３１０を生成し（ステップ１３０９）、磁気ディスク装置５に記録する。
以上によりカレンダ画面作成処理を終了する。
【００１８】
図１４は、天気情報画面作成処理を示すフローチャートである。
天気情報画面作成処理では、まず、磁気ディスク装置５から気象情報１４０２を取得し（ステップ１４０１）、さらに磁気ディスク装置５からユーザの居住地域の地図情報１４０４を取得する（ステップ１４０３）。
次に、磁気ディスク装置５から天気予報時刻情報１４０６を取得し（ステップ１４０５）、
地図情報と気象情報をマージして天気情報画面を生成する（ステップ１４０７）。
以上により、天気情報画面作成処理を終了する。
【００１９】
図１５は、背景画面作成処理を示すフローチャートである。
背景画面作成処理では、まず、磁気ディスク装置５から天気情報同時表示フラグ１５０２を取得する（ステップ１５０１）。天気情報同時表示フラグ１５０２とは、気象情報を背景と同時に表示するかを示すフラグである。
次に、天気情報同時表示フラグを判定し（ステップ１５０３）、気象情報を背景と同時に表示しないように設定されている場合にはステップ１５１０に進む。
しかし、気象情報を背景と同時に表示するように設定されていた場合には、天気予報時刻情報１５０５を磁気ディスク装置５から取得し（ステップ１５０４）、さらに、天気と対応した背景画像１５０７を磁気ディスク装置５から取得し（ステップ１５０６）、気象情報に対して背景画像を合成し、背景画面１５０９を生成し（ステップ１５０８）、磁気ディスク装置５に格納する。
ステップ１５１０では、磁気ディスク装置５からユーザ指定の背景画像情報１５１１を取得し、ユーザ指定背景画像情報があるかを確認させ（ステップ１５１２）、ある場合には、ユーザ指定背景画像情報をマージし背景画面１５１４を生成し、磁気ディスク装置５に格納する（ステップ１５１３）。
ユーザ指定背景画像情報がない場合には、磁気ディスク装置５から季節に応じた背景画像情報１５１６を取得し（ステップ１５１５）、その背景画像情報をマージし、背景画面１５１８を生成し、磁気ディスク装置５に格納する（ステップ１５１７）。
以上により、背景画面作成処理が終了する。
【００２０】
図１６は、カレンダ画面表示処理を示すフローチャートである。
カレンダ画面表示処理では、まず、磁気ディスク装置５からカレンダ画面１６０２を取得し（ステップ１６０１）、さらに磁気ディスク装置５から背景画面１６０４を取得し（ステップ１６０３）、カレンダ画面と背景画面を合成し（ステップ１６０５）、合成した情報を画面７へ出力して表示する（ステップ１６０６）。
以上により、カレンダ画面表示処理が終了する。
【００２１】
図１７は、天気画面表示処理を示すフローチャートである。
天気画面表示処理では、まず、磁気ディスク装置５から天気画面１７０２を取得する
（ステップ１７０１）。次に、天気画面を画面７へ出力して表示する（ステップ１７０３）。
以上により、天気画面表示処理が終了する。
【００２２】
図１８は、スケジュール情報入力処理を示すフローチャートである。
スケジュール情報入力処理では、カレンダ画面上でいずれかの日付の表示位置がユーザによってタッチされると（ステップ１８０１）、手書き入力によるスケジュール入力画面を表示する（ステップ１８０２）。
そこで、ユーザによる手書き入力操作が画面７へのタッチ操作によってなされると、その手書き文字を認識し（ステップ１８０３，１８０４）、認識した手書き文字を対応する文字コードに変換する（ステップ１８０５）。
次に、手書き入力終了かを判定し（ステップ１８０６）、終了でない場合にはステップ１８０３に戻る。
しかし、終了操作が行われた場合には、磁気ディスク装置５に対し、入力されたスケジュール情報１８０８を格納した後（ステップ１８０７）、スケジュール入力画面を閉じ（ステップ１８０９）、スケジュール情報入力処理を終了する。
【図面の簡単な説明】
【００２３】
【図１】本発明の実施の形態を示す全体構成図である。
【図２】本発明のディジタルカレンダ装置の画面遷移図である。
【図３】カレンダ画面の例を示す説明図である。
【図４】気象情報表示時のカレンダ画面の例を示す説明図である。
【図５】数ヶ月単位でのカレンダ画面の例を示す説明図である。
【図６】１週間単位でのカレンダ画面の例を示す説明図である。
【図７】週始まり日を月曜日としたカレンダ画面の説明図である。
【図８】スケジュール入力画面の説明図である。
【図９】周辺地域情報画面の説明図である。
【図１０】日付情報更新処理を示すフローチャートである。
【図１１】気象情報更新処理を示すフローチャートである。
【図１２】背景画像情報更新処理を示すフローチャートである。
【図１３】カレンダ画面作成処理を示すフローチャートである。
【図１４】天気画面作成処理を示すフローチャートである。
【図１５】背景画面作成処理を示すフローチャートである。
【図１６】カレンダ画面表示処理を示すフローチャートである。
【図１７】天気画面表示処理を示すフローチャートである。
【図１８】スケジュール情報入力処理を示すフローチャートである。
【符号の説明】
【００２４】
１    地上波ディジタル基地局
３    ディジタルカレンダ装置
４    ワンセグ受信ユニット
５    磁気ディスク装置
６    ＣＰＵ装置
７    タッチセンサ付き液晶スクリーン
７０１    ルート画面（カレンダ情報画面）
７０１ａ    タッチメニュー
７０１ｂ    背景画面表示エリア
７０１ｃ    カレンダ表示エリア
７０１ｄ    スケジュール入力エリア
７０１ｅ    周辺気象情報表示エリア
７０２    気象情報画面
７０３    スケジュール入力画面
７０４    設定画面
【図１】
2008145752.tif 000003
【図２】
2008145752.tif 000004
【図３】
2008145752.tif 000005
【図４】
2008145752.tif 000006
【図５】
2008145752.tif 000007
【図６】
2008145752.tif 000008
【図７】
2008145752.tif 000009
【図８】
2008145752.tif 000010
【図９】
2008145752.tif 000011
【図１０】
2008145752.tif 000012
【図１１】
2008145752.tif 000013
【図１２】
2008145752.tif 000014
【図１３】
2008145752.tif 000015
【図１４】
2008145752.tif 000016
【図１５】
2008145752.tif 000017
【図１６】
2008145752.tif 000018
【図１７】
2008145752.tif 000019
【図１８】
2008145752.tif 000020